(57)【特許請求の範囲】
【請求項１】
複数の強度部材を有する複数ファイバからなる１本のケーブルを分岐するための分岐装置であって、
分離用ボディを受け入れるように構成されたハウジング部材を有し、前記分離用ボディは複数の通路を有し、各通路が前記複数ファイバからなるケーブルから少なくとも１本の個別のファイバを受け入れ、
前記ハウジング部材はその一端部に位置するケーブル収縮用ボディを備え、前記複数ファイバからなるケーブルからの前記複数の強度部材の少なくとも一部が、前記ケーブル収縮用ボディと第１の収縮バンドの間で収縮し、
前記分離用ボディは外側表面を有し、前記複数ファイバからなるケーブルを前記分岐装置に付着させるために、前記複数ファイバからなるケーブルからの前記複数の強度部材の少なくとも一部が、前記外側表面と第２の収縮バンドの間で収縮することを特徴とする分岐装置。
【請求項２】
前記複数ファイバからなるケーブルからの前記強度部材は、複数の外側強度部材と、これらの外側強度部材の内側に配置された複数の内側強度部材とを有し、前記複数の外側強度部材の一部が、前記ケーブル収縮用ボディと、第１の収縮バンドの間に収縮する請求項１記載の分岐装置。
【請求項３】
前記複数の内側強度部材の一部が、外側表面と第２の収縮バンドの間で収縮する請求項１記載の分岐装置。
【請求項４】
前記複数の通路は、１本の個別のファイバを受け入れるように構成された少なくとも一つの通路と、前記複数ファイバからなる１本のケーブルを受け入れるように構成された少なくとも一つの通路とを含む請求項１記載の分岐装置。
【請求項５】
前記分離用ボディは少なくとも一つの実質的に平坦な表面を有し、その実質的に平坦な表面は、前記分離用ボディとハウジング部材の間の相対的回転運動に抵抗するように、前記ハウジングの上に形成された対応する実質的に平坦な表面と協働する請求項１記載の分岐装置。
【請求項６】
前記少なくとも１本の個別ファイバを光装置に案内するように、前記分離用ボディの前記複数の通路に対応して複数の分岐管が、前記分離用ボディに設けられている請求項１記載の分岐装置。
【請求項７】
前記分岐装置内に前記分離用ボディをしっかりと保持するために、前記ハウジング部材に着脱可能に接続された上部部材を更に有する請求項１記載の分岐装置。
【発明の詳細な説明】
【０００１】
【発明の属する技術分野】
本発明は、広くは光ファイバコネクタに関し、より具体的には、複数ファイバの光ファイバケーブルを分離(breakout)するためのファーケーションキット（分岐装置）に関する。
【０００２】
【発明の背景技術】
主幹回線から末端ユーザに到達するために、複数ファイバの光ケーブルを分割して、より小さなケーブルにする必要がある。典型的には、複数ファイバケーブルは、複数の単一ファイバコネクタで終端し、これらのコネクタはそれぞれ、光ハードウェア又は装置に接続される。ジンマ(Zimmer)の米国特許第5,231,688号はファーケーションキットを開示し、これは、１本の複数ファイバ光ケーブルを複数の単一光ファイバに分離するものである。その後、分離された各ファイバは、それぞれの終端コネクタに接続するために、個別のファーケーション管即ち終端レグに挿入される。前記米国特許第5,231,688号は複数ケーブルのケーブルを分岐させるための実行可能な解決策を提供するものであるが、この文献に開示された歪解放は、ケーブルの中に存在するアラミド強化ファイバの利点を生かさない。この文献は更に、光ハードウェア又は装置の内部の接続を管理するために複数のファーケーションキットを積み重ねたり束ねたりすることには言及がなく、又、楕円形又は長方形断面のケーブル又はリボンの分岐については言及がない。
【０００３】
ブラウン(Brown)の米国特許第5,970,195号は別のファーケーションキットを開示しており、これは、ハウジングと、キットハウジングの中に配置された複数の単一ルーズファーケーション管を有する。各単一ルーズファーケーション管は、１本の裸の光ファイバを受け入れるように構成された１本の内側管と、その内側管の周りにそれと同心に配置された１本の外側保護ジャケットとを有する。内側管と外側保護ジャケット(pocket)の間の環状空間には複数のアラミド強度ファイバが配置されている。ファイバは、保護ジャケットの端部から外へ突き出すような大きさであり、ファーケーションキットのハウジング内に捕捉されるように保護ジャケットの周りに折り返されている。次いで、捕捉された強度ファイバは、接着剤によって、ファーケーションキットのハウジングに付着させられる。この文献に開示された捕捉された強度ファイバは、意図しないで複数の単一ルーズ管がファーケーションキットの外に引っ張られることから単一ルーズ管を保護するが、光ケーブルを保護するものではない。
【０００４】
従って、従来のファーケーションキットに関するこれら及びその他の既知の欠点を克服するファーケーションキットを求める要望が存在する。
【０００５】
従って、本発明の一つの目的は、光ケーブルから利用可能な強度ファイバを用いて、ファーケーションキットにかかる歪を解放するファーケーションキットを提供することにある。
【０００６】
本発明のもう一つの目的は、光ハードウェア又は装置内で積み重ねられ、または束ねられることのできるファーケーションキットを提供することにある。
【０００７】
本発明のもう一つの目的は、ファーケーション管又は終端処理したレグを必要としないファーケーションキットを提供することにある。
【０００８】
本発明のもう一つの目的は、キットハウジングとファンアウトボディの間の相対的回転運動に抵抗するファーケーションキットを提供することにある。
【０００９】
本発明のもう一つの目的は、１本の複数ファイバケーブルを複数の単一ファイバ及び複数の複数ファイバに終端処理するファーケーションキットを提供することにある。
【００１０】
【発明の概要】
本発明の上記目的及びその他の目的は、ファーケーション装置、特に、ファンアウトボディを受け入れるように構成されたハウジング部材を有するファーケーション装置によって達成される。そのファンアウトボディは複数の通路を有し、各通路は、複数ファイバケーブルから少なくとも１本の個別のファイバを受け入れる。ハウジング部材は更に、一端にケーブルクリンプボディを有しても良い。複数ファイバケーブルからの複数の強度部材の少なくとも一部は、その複数ファイバケーブルをファーケーション装置に付着させるために、クリンプボディと第１のクリンプバンドの間で収縮する。ファンアウトは更に、外側ファンアウト表面を有しても良い。そして、複数ファイバケーブルからの複数の強度部材の少なくとも一部は、その複数ファイバケーブルをファーケーション装置に付着させるために、ファンアウトクリンプ表面と第２のクリンプバンドの間で収縮する。
【００１１】
本発明の一つの態様によれば、複数ファイバケーブルからの複数の強度部材は、複数の外側強度部材と、外側強度部材の内側に配置された複数の内側強度部材とを有する。外側強度部材の一部は、ケーブルクリンプボディと第１のクリンプバンドの間で収縮し、内側強度部材の一部は、ファンアウトクリンプ表面と第２のクリンプバンドの間で収縮する。一方、外側強度部材の一部は、ファンアウトクリンプ表面と第２のクリンプバンドの間で収縮してもよく、内側強度部材の一部は、ケーブルクリンプボディと第１のクリンプバンドの間で収縮してもよい。
【００１２】
本発明の他の態様によれば、前記複数の通路は、１本の個別のファイバを受け入れるように構成された少なくとも一つの通路と、１本の複数ファイバケーブルを受け入れるように構成された少なくとも一つの通路とを有する。
【００１３】
本発明の更に他の態様によれば、ハウジング部材は更に、第１と第２の相互結合部材を有する。第１の相互結合部材は、隣接するファーケーション装置に配置された第２の相互結合部材と互いに結合するように構成されている。第１の相互結合部材は、例えば、ハウジング部材の表面上に配置されたノブであり、第２の相互結合部材は、ノブを受け入れるように構成された穴である。ノブは、例えば、テーパ部を有し、ノブが穴に入れるように、スリットが形成されている。ノブと穴はそれぞれ、例えば、ハウジングの上面と底面、或いは反対側の側面に配置される。
【００１４】
本発明の他の態様においては、ファンアウトボディは、少なくとも一つの実質的に平坦な表面を有する。この実質的に平坦な表面は、ハウジングの上に形成された対応する実質的に平坦な表面と協働して、ファンアウトボディとハウジング部材の間の相対的な回転運動に抵抗するように構成されている。
【００１５】
【発明の実施の形態】
添付図面は、明細書の一部をなすものであって、明細書と共に読み込まれる。図面において、類似の部分には同じ符号を用いる。
【００１６】
図１及び２に全体を示すように、符号１０は、本発明によるファーケーションキット全体（分岐装置）を表す。ファーケーションキット（分岐装置）１０は、図１の符号１２で全体を表す光ケーブルを分岐(furcate)するようにできている。ファーケーションキット１０と共に種々のタイプの光ケーブルを使用できる。これらのケーブルのいくつかの例を図３Ａ，３Ｂ，４Ａ，４Ｂ，５Ａ，５Ｂ，６に示す。本発明は他の光ケーブルにも使用でき、本発明はここに示す光ケーブルのタイプに限定されない。
【００１７】
ファーケーションキット１０は、分割された(segmented)ブート(boot)１４と、ケーブルクリンプバンド（第１の収縮バンド）１６と、光ケーブル１２をファーケーションキット１０に接続する熱収縮性ジャケット１８とを有する。ファーケーションキット１０は更に、ハウジング部材２０と、取外し可能な上部部材２２とを有する。ハウジング部材２０と上部部材２２は、図２に最もよく示されているように、協働して、ファンアウトクリンプボディ（分離用ボディ）２４とファンアウトクリンプバンド（第２の収縮バンド）２６を覆っている。図１で、符号３０で一般に示される裸の複数の光ファイバは、光ケーブル１２内に収容され、後述するように、ファンアウトクリンプボディ２４内で分離される。分離された裸の光ファイバ３０がファーケーションキットから離れるように、複数のファーケーション管（分岐官）即ち終端(terminated)レグ２８を選択的に設けても良い。後述するように、本発明のファーケーションキットはファーケーション管なしでも使用できる。
【００１８】
図３Ａ及び３Ｂに示す光ケーブル３２及び３４はそれぞれ、ファーケーションキット１０で使用可能な好ましい光ケーブルである。各ケーブルが、二つの別個の強度ファイバ群を有することは利点であり、強度ファイバ群は、好ましくはケブラー（Kevlar；商標）ファイバ等のアラミドのヤーンからできている。各ケーブルは、ケーブルを覆って環境からの汚染からケーブルを保護するための外側ジャケット３６を有する。各ケーブルは更に、外側ジャケット３６の真下に配置された１本又は複数本のリップ（引裂き）コード３８を有する。リップコードは、光ケーブルをファーケーションキット又はコネクタに付着させるための準備としてそのケーブルの外側ジャケットを剥がすために使用される。ケーブル３２、３４は更に第１群の外側強度ファイバ４０を有する。
【００１９】
図３Ａに示すケーブル３２は更に、複数のバッファ付きの光ファイバ４２を有する。各バッファ付き光ファイバ４２は一般に、保護アクリレートバッファ４６の内側に配置された裸のファイバ４４を有する。ケーブル３２は更に、第２群の内側強度ファイバ４８を有する。これらは、好ましくは、複数のバッファ付き光ファイバ４２の二つの輪の間に同心的に配置されている。ケーブル３２は更に、選択的に、中心部材５０を有し、これは、好ましくは、ケーブル３２の電気的グラウンドを提供するために、誘電体からできている。
【００２０】
同様に、図３Ｂに示すケーブル３４も、保護層５２によって強度ファイバ４０から分離された第２群の内側強度ファイバ４８を有する。１本のバッファ管５４が、複数の内側強度ファイバ４８によって保護され、複数の光ファイバリボン５６を覆っている。
【００２１】
ケーブル３２、３４又は他のケーブル１２をファーケーションキット１０に接続するに当って、好ましくは、初めに、そのケーブルを、ブート１４、ジャケットリテンション(retention)１８、クリンプバンド１６の中を通す。次にリップコード３８を後方に引いて外側ジャケット３６を剥がし、外側強度ファイバ４０を露出させる。次に、図１に最もよく示されているように、外側強度ファイバ４０の少なくとも一部を整えて、底部ハウジング２０のクリンプボディ５８の上に配置する。そとのとき、ケーブルの残りのコア（全体を符号１２’で示す）はクリンプボディ（ケーブル収縮用ボディ）５８を貫通して、底部ハウジング２０の内部に入っている。外側強度ファイバ４０は、強度ファイバ４０及びクリンプボディ５８の外側でケーブルクリンプバンド１６の端部６０を収縮することによって、クリンプボディ５８に付着させられる。好ましくは、クリンプボディ４８は複数の外側畝(ridges)を有し、端部６０は柔軟な金属材料からできている。収縮(crimping)操作は、例えば、アンダウッド(Underwood)の米国特許第5,806,175号に示されているように、既知である。この'175号特許はこの引用によって、全体がこの明細書に取り込まれたものとする。
【００２２】
次に、熱収縮性のジャケット１８は、部分的にケーブルクリンプバンド１６の端部６２の上にかかり、部分的にケーブル１２の一部にかかるように配置され、ケーブル１２の一部がケーブルクリンプバンド１６に付くように熱収縮される。次に、図２に最もよく示されているように、分割されたブート１４が、（摩擦嵌め込み、接着剤等によって、）ケーブルクリンプバンド１６及び、ジャケットリテンション１８及びケーブル１２の一部を覆うハウジング部材２０の一部に結合される。ブート１４は、環境からの汚染から保護し、ケーブル１２の曲げ半径を制御する。
【００２３】
図１に最も明瞭に示されているように、残りのコア１２’は、クリンプボディ５８に形成された穴を通ってハウジング部材２０に入る。好ましくは、この接合のとき又はその前に、ケーブル３２の光ファイバ４４又はケーブル３４の光リボン５６は、それぞれのバッファ管４６及び５４から剥き出される。内側強度ファイバ４８は、ファンアウトクリンプボディ２４の畝を付けた端部の上で折り曲げられ、ファンアウトクリンプボディの外部畝の外側に配置されている。次に、ファンアウトクリンプバンド２６が第２の強度ファイバ４８の外側に置かれ、内側強度ファイバ４８をファンアウトクリンプボディに固定するように、収縮される。これにより、ケーブル１２とファーケーションキット１０の間の機械的接合力が高められる。更に、外側強度部材４０の一部がハウジング部材２０内に入り、内側強度ファイバ４８と共にファンアウトクリンプボディ２４に収縮するようにしても良い。他の例として、内側強度部材４８の一部が、ハウジング部材２０の上のクリンプボディ５８とクリンプリング１６の間で、外側強度部材４０と共に収縮するようにしても良い。
【００２４】
次に、ケーブル３２について、裸のファイバ４４がファンアウトクリンプボディ２４内に挿入される。そこで、各ファイバが、端末コネクタに、又は光装置もしくはハードウェアに直接導かれるように、ファーケーション管２８に１本ずつ挿入される。ファーケーション管の長さは適当な長さでよいが、好ましくは、６インチから２００インチの範囲内であり、又、ファーケーション管の直径も適当な大きさでよいが、好ましくは、９００ミクロンから３．０ｍｍの範囲内である。ファーケーション管２８は、既知の方法（例えば米国特許第5,231,688号に記載された方法）でファンアウトクリンプボディに付着させることができる。図７は、ファンアウトクリンプボディ２４を示すもので、受入れ端部６４と、その上に形成された端面６６を示す（図の明確化のために、外側畝は示していない）。受入れ端部６４は図示のほぼ直線状の四つの端部６８を有するが、少なくとも一つの端部６８は、ボディ部材２０内のファンアウトクリンプボディ２４の向きを決定する助けとなる形状になっていて、少なくとも一つの端部６８は、ファンアウトクリンプボディ２４とハウジング部材２０の間の相対的動きに抵抗する形状となっている必要がある。
【００２５】
端面６６は、光ケーブル１２の形状に合わせて、例えば図７Ａ〜７Ｅに示す多数の形状６６Ａ〜６６Ｅのいずれかの形状である。特に、端面６６Ｄには、ケーブル３２から裸のファイバ４４を受け入れるような大きさの多数のファイバ穴７０が形成され、ファーケーション管２８が反対の面で受け入れられる。端面６６Ｄには更に、誘電体中央部材５０を受け入れる中央穴７２も形成されていても良い。変形例として、穴７０は、バッファ管４６とファイバ４４の両方を受け入れる大きさとすることもできる。バッファ管４６は、ファイバ４４をシールドし、端面６６Ａ〜６６Ｅのファイバ穴に挿入されるときにファイバ４４が曲げられることから保護するための保護シースとして機能することもでき、それにより、この変形例では、ファーケーション管が不要になる。
【００２６】
端面６６Ａには、ケーブル３４の実質的に扁平な光リボン５６を受け入れられるような大きさの多数のスロット７４が形成されている。ファーケーション管２８もリボン５６と同様のプロフィルを有し、リボンを端末コネクタ又は光ハードウェアに導くようになっている。変形例としては、リボン５６内の各ファイバもそれぞれ保護シースを有し、それによって、ファーケーション管の使用を不要としても良い。
【００２７】
ファンアウトクリンプリング２６をクリンプボディ２４の周りで収縮させた後に、図１及び２に示すように、このサブアセンブリをハウジング部材２０内に配置する。好ましくは、ハウジング２０は、ファンアウトクリンプボディ２４の受入れ端部６４を受け入れるように構成されたチャネル７８を形成している。チャネル７８は受入れ端部６４の形状に対応していて、好ましい実施形態では、チャネル７８は、受入れ端部６４の直線端部６８を受け入れるように、少なくとも一つの実質的に直線状の端部８０を有する。直線端部８０は直線端部６８と協働してハウジング部材２０とファンアウトクリンプボディ２４の間の相対的回転運動に抵抗する。ファンアウトクリンプボディとファンアウトクリンプバンドサブアセンブリがハウジング部材２０内に配置された後に、上部部材２２がハウジング部材２０の上に嵌め込まれ(snapped on to)、その内部にサブアセンブリが固定される。上部部材２２は、図１に示すように、多数の脚８２を有し、各脚８２の端部にはフック８４が付いている。各脚８２は、脚８２及びフック８４を着脱可能に受け入れてしっかり保持するような形状の溝８６内に受け入れられている。他の例として、例えば、締まりばめ、接着剤、舌状部と溝等を含む種々の方法で取り付けることが可能である。
【００２８】
本発明の他の態様では、ファーケーションキット１０は、米国特許第6,061,492号に記載されている分配ネットワーク内に配置された光接続キャビネット内のトレーのような光装置又はハードウェア内に複数のファーケーションキット１０が収まるように、積重ね構造又は束構造を有する。この目的のために、ハウジング部材２０は、ハウジング部材の上に配置された多数のノブ８８と、ハウジングの底部に配置され、ノブの数に対応する数の穴９０を有する。好ましくは、ノブ８８は上端部にテーパが設けられ、その中にスリット９２が設けられ、ノブ８８の外径は、対応する穴９０の内径よりも若干大きい。一つのファーケーションキット１０が隣接するキットに積み重ねられるとき、一つのキットのノブ８８のテーパ付き上端部がそのノブを、隣接するキットの穴９０内に案内する。ノブ８８が穴９０内に挿入されるときに、スリット９２によって、ノブ８８の二つの半部が弾性的に近寄る。ノブ８８の弾性によって、ノブ８８は穴９０の壁に圧力を及ぼし、一つのファーケーションキットを他のファーケーションキットにしっかり固定する。この構造によれば、接続された複数のファーケーションキット１０を、必要により引き離すこともできる。更に、ノブ８８と穴９０は
ファーケーションキット１０の対向する側面に配置しても良い。そうすることにより、複数のファーケーションキット１０を、上下に重ねるだけでなく、横方向に繋げることもできる。
【００２９】
本発明の他の態様によれば、外側強度ファイバ４０のみを有する光ケーブルも、このファーケーションキット１０で使用できる。図４Ａ及び４Ｂに示すように、ケーブル９４、９６は、バッファ管５４を保護する外側強度部材４０を有する。バッファ管５４はそれぞれ、多数のリボン５６又はバッファ付きファイバ４２を取り囲んでいる。このシナリオにおいて、上述のように、外側強度部材４０の一部は、ケーブルクリンプバンド１６と、ハウジング２０のクリンプボディ５８の間で収縮する。そのとき(then)残りの強度部材４０はファンアウトクリンプボディ２４の中を貫通し、ファンアウトクリンプボディ２４とファンアウトクリンプリング２６の間で収縮する。
【００３０】
更に、図５Ａに示す光ケーブル９８のような、個別の内部強度部材４８の群を有する光ケーブルも、ファーケーションキット１０と共に使用できる。ケーブル９８は、複数のバッファ付き管５４を取り囲む一つの外側ジャケットを有する。各管５４は１本のバッファファイバ４２を取り囲み、強度部材４８をも含んでいる。各バッファファイバは、１本又は２本以上の裸の光ファイバを有しても良い。この場合、内側強度部材４８の一部は、ケーブルクリンプバンド１６と、ハウジング部材２０のクリンプボディ５８の間で収縮し、残りの強度部材は、ファンアウトクリンプボディ２４とクリンプリング２６の間で収縮する。
【００３１】
更に、図５Ｂに示す光ケーブル１００のような、個別の外部強度部材４０の群を有する光ケーブルも、ファーケーションキット１０と共に使用できる。ケーブル１００は、二つの別個の保護層５２、５３を覆う外側強度部材４０を有する。層５２は典型的には、金属保護層又は水膨張テープの層であり、層５３は、誘電体の複数のロッド１０２と、複数の光リボン５６を収容する複数の管１０４とを囲んでいる。好ましくは、これらの管のそれぞれが内側強度部材４８で覆われている。この状態で、前述のように、外側強度部材４０の一部は、クリンプバンド１６と、ハウジング部材２０のクリンプボディ５８の間で収縮する。そのとき(then)残りの強度部材４０は、選択的にファンアウトクリンプボディ２４の中を貫通し、ファンアウトクリンプボディ２４とファンアウトクリンプリング２６の間で、個々の内側強度部材４８と共に収縮する。他の例として、ファーケーションキット１０は、ケーブル９８の個々のバッファ付き管５４と共に、又はケーブル１００の各管１０４と共に使用できるような寸法とすることもできる。
【００３２】
ファーケーションキット１０は更に、例えば図６に示すリボンケーブル１０６のような、実質的に楕円又は長方形のプロフィルのケーブルにも使用できる。リボンケーブル１０６は、光リボン５６を保護する複数の強度部材１０８を囲む外側保護ジャケット１０７を有する。この状態で、強度部材１０８の一部は、ケーブルクリンプバンド１６と、ハウジング部材２０のクリンプボディ５８の間で収縮し、残りの強度部材は、ファンアウトクリンプボディ２４とクリンプリング２６の間で収縮する。複数のリボンファイバ５６が分離され、それから、前述のように、個々のファイバが、ファーケーション管２８に挿入され、それによって、ファーケーションキット１０から離れるように案内される。光リボン５６は個々のファイバに分離することも、又、複数の比較的小さなファイバリボンに分割することもでき、その店が有利である。図７Ｅに示す端面６６Ｅは、個々のファイバを穴７０で受け入れ、複数のファイバのリボンをスロット７４で受け入れるように構成した実施形態である。
【００３３】
以上、本発明について種々の記載をしたが、本発明の種々の特徴は、単独でも又それらの組合せでも使用できる。従って、本発明は、ここに具体的に示した好ましい実施形態に限定されるものではない。
【図面の簡単な説明】
【図１】本発明に係る好ましいファーケーションキットの一実施形態の展開図である。
【図２】図１に示すファーケーションキットの組み立てた状態の断面図であって、図示の都合で光ファイバを除いた図である。
【図３Ａ】本発明に係るファーケーションキットと共に使用可能な、二つの群の強度ファイバを有する光ケーブルの部分切欠き斜視図である。
【図３Ｂ】二つの群の強度ファイバを有する他の光ケーブルの部分切欠き斜視図である。
【図４Ａ】本発明に係るファーケーションキットと共に使用可能な、一つの群の強度ファイバを有する光ケーブルの部分切欠き斜視図である。
【図４Ｂ】一つの群の強度ファイバを有する他の光ケーブルの部分切欠き斜視図である。
【図５Ａ】本発明に係るファーケーションキットと共に使用可能な、複数ファイバのルーズ管を有する光ケーブルの部分切欠き斜視図である。
【図５Ｂ】本発明に係るファーケーションキットと共に使用可能な、複数ファイバのルーズ管を有する光ケーブルの部分切欠き斜視図である。
【図６】本発明に係るファーケーションキットと共に使用可能な楕円形又は長方形の光リボンの部分切欠き斜視図である。
【図７】図７はファンアウトクリンプボディの拡大図である。
【図７Ａ】図７のファンアウトクリンプボディの幾つかの好ましい実施形態を示す。
【図７Ｂ】図７のファンアウトクリンプボディの幾つかの好ましい実施形態を示す。
【図７Ｃ】図７のファンアウトクリンプボディの幾つかの好ましい実施形態を示す。
【図７Ｄ】図７のファンアウトクリンプボディの幾つかの好ましい実施形態を示す。
【図７Ｅ】図７のファンアウトクリンプボディの幾つかの好ましい実施形態を示す。
【図１】
0003940011.tif 000002
【図２】
0003940011.tif 000003
【図３Ａ】
0003940011.tif 000004
【図３Ｂ】
0003940011.tif 000005
【図４Ａ】
0003940011.tif 000006
【図４Ｂ】
0003940011.tif 000007
【図５Ａ】
0003940011.tif 000008
【図５Ｂ】
0003940011.tif 000009
【図６】
0003940011.tif 000010
【図７】
0003940011.tif 000011
【図７Ａ】
0003940011.tif 000012
【図７Ｂ】
0003940011.tif 000013
【図７Ｃ】
0003940011.tif 000014
【図７Ｄ】
0003940011.tif 000015
【図７Ｅ】
0003940011.tif 000016